(57)【要約】 【課題】  内部の流体の放出と内部の洗浄が容易なアプリケータ容器を提供する。【解決手段】  本発明のアプリケータ容器は、中空本体１と放出口２と投入口３と蓋４とを有する。前記中空本体１は、フレキシブルな材料製であり、その内部に流体が入る。前記放出口２は、前記中空本体１と一体に形成され、前記中空本体１から外側に伸びる。前記中空本体１を押すことにより、前記流体が前記放出口２から放出される。前記蓋４は、前記投入口３を閉じる。【選択図】  図１
2011051657.tif 000002
【特許請求の範囲】
【請求項１】
（Ａ）中空本体（１）と、
前記中空本体（１）は、フレキシブルな材料製であり、その内部に流体が入り、
（Ｂ）放出口（２）と、
前記放出口（２）は、前記中空本体（１）と一体に形成され、前記中空本体（１）から外側に伸び、
（Ｃ）蓋（４）と
を有し、
前記中空本体（１）を押すことにより、前記流体が前記放出口（２）から放出され、
前記中空本体（１）は、前記放出口（２）から離れた場所に投入口（３）を有し、
前記蓋（４）は、前記投入口（３）を閉じる
ことを特徴とするフレキシブルなアプリケータ容器。
【請求項２】
前記中空本体（１）は、２つの対向部分（１ａ，１ｂ）からなり、
前記２つの対向部分（１ａ，１ｂ）は、薄肉の円周部分（５）により連結され、
前記放出口（２）は、前記薄肉の円周部分（５）と整合して形成され、
前記投入口（３）は、前記２つの対向部分（１ａ，１ｂ）の一方に形成される
ことを特徴とする請求項１記載のアプリケータ容器。
【請求項３】
前記中空本体（１）は、前記対向部分（１ａ，１ｂ）の他方に形成された底部表面（６）を有する
ことを特徴とする請求項２記載のアプリケータ容器。
【請求項４】
前記放出口（２）の放出導管（２ａ）と薄肉の円周部分（５）とは、前記底部表面（６）に平行な第１仮想面（Ｐ１）内にある
ことを特徴とする請求項２又は３記載のアプリケータ容器。
【請求項５】
前記投入口（３）は、前記第１仮想面（Ｐ１）に平行な第２仮想面（Ｐ２）にあり、
前記底部表面（６）は、前記第１仮想面（Ｐ１）と第２仮想面（Ｐ２）に平行な第３仮想面（Ｐ３）にある
ことを特徴とする請求項４記載のアプリケータ容器。
【請求項６】
前記投入口（３）は、前記第１仮想面（Ｐ１）に平行な第２仮想面（Ｐ２）にあり、
前記底部表面（６）は、前記第１仮想面（Ｐ１）と第２仮想面（Ｐ２）に対し傾斜した第３仮想面（Ｐ３）にある
ことを特徴とする請求項４記載のアプリケータ容器。
【請求項７】
前記薄肉の円周部分（５）は、前記投入口（３）の周囲より、かつ底部表面（６）の周囲より長い周囲を有し、
前記中空本体（１）の対向部分（１ａ，１ｂ）は、傾斜した壁に形成され、
前記傾斜した壁は、前記薄肉の円周部分（５）から、前記投入口（３）と前記底部表面（６）にそれぞれ伸びる
ことを特徴とする請求項２−６のいずれかに記載のアプリケータ容器。
【請求項８】
前記対向部分（１ａ，１ｂ）の傾斜した壁は、それぞれ前記薄肉の円周部分（５）から、前記投入口（３）と底部表面（６）にかけて厚くなる
ことを特徴とする請求項７記載のアプリケータ容器。
【請求項９】
前記薄肉の円周部分（５）の周囲と、前記投入口（３）の周囲と、底部表面（６）の周囲は、中心が一致した円形の周囲である
ことを特徴とする請求項７又は８記載のアプリケータ容器。
【請求項１０】
前記蓋（４）は、その周囲に閉鎖構造（７）を有し、
前記閉鎖構造（７）は、前記投入口（３）の周囲の対応する閉鎖構造（８）と着脱可能に嵌め合わされる
前記投入口（３）の周囲の対応する閉鎖構造（８）は、前記投入口（３）のエッジに形成される
ことを特徴とする請求項１−９のいずれかの記載のアプリケータ容器。
【請求項１１】
前記投入口（３）の周囲の対応する閉鎖構造（８）は、開口を形成する円錐台形表面（８ｃ）を有し、
前記円錐台形表面（８ｃ）は、内側周辺エッジ（８ａ）と、外側周辺エッジ（８ｂ）の間に配置され、
前記閉鎖構造（７）は、円錐形状部（７ｃ）を有し、
前記円錐形状部（７ｃ）は、内側周辺突起部（７ａ）と外側周辺けんすい部（７ｂ）の間に配置され、
前記円錐形状部（７ｃ）は、前記円錐台形表面（８ｃ）に当接し、
前記内側周辺突起部（７ａ）は、前記内側周辺エッジ（８ａ）にロックされ、
前記外側周辺けんすい部（７ｂ）は、前記外側周辺エッジ（８ｂ）にロックされる
ことを特徴とする請求項１０記載のアプリケータ容器。
【請求項１２】
前記蓋（４）は、フレキシブルな材料製である
ことを特徴とする請求項１０記載のアプリケータ容器。
【請求項１３】
前記蓋（４）は、剛性材料製である
ことを特徴とする請求項１０記載のアプリケータ容器。
【請求項１４】
前記蓋（４）は、把持タブ（９）を具備する
ことを特徴とする請求項１０−１３のいずれかの記載のアプリケータ容器。
【請求項１５】
キャップ（１０）を更に有し、
前記キャップ（１０）は、前記放出口（２）に着脱可能に嵌められ、
これにより、前記放出導管（２ａ）を形成するような気密構造を形成する
ことを特徴とする請求項１−１４のいずれかの記載のアプリケータ容器。
【請求項１６】
ノズル群（１１，１１．１−１１．６）を有し、
前記ノズル群は、内側通路（１１ａ）を具備し、前記放出口（２）に着脱可能に嵌められ、
これにより、前記放出口（２）の放出導管（２ａ）と、前記ノズル（１１）の内側通路（１１ａ）との間に、キャップ（１０）が使用されてないときには連通状態を形成する
ことを特徴とする請求項１−１５のいずれかの記載のアプリケータ容器。
【請求項１７】
前記キャップ（１０）又は前記ノズル（１１）は、フレキシブルな材料製である
ことを特徴とする請求項１５又は１６記載のアプリケータ容器。
【請求項１８】
前記フレキシブルな材料は、絞られた後元の形状に戻る弾力性を有する
ことを特徴とする請求項１、１２又は１７記載のアプリケータ容器。
【請求項１９】
前記弾力性を有するフレキシブルな材料は、ゴムとシリコンからなるグループから選択されたエラストマである
ことを特徴とする請求項１８記載のアプリケータ容器。
【請求項２０】
前記ノズル群（１１．１−１１．６）は、剛性材料製である
ことを特徴とする請求項１６記載のアプリケータ容器。
【発明の詳細な説明】
【技術分野】
【０００１】
本発明は、フレキシブルなアプリケータ容器に関し、特に、ラバーバルブに類似する放出口と、投入口と、蓋（スナップヒットで投入口を閉じることのできる着脱可能なもの）を具備するフレキシブルな容器に関する。この様な容器は、流体（例えば液体あるいはペースト状のものの総称として以下使用する）を入れたりするのに有益である。流体の例としては、バター、ペースト、ソース、ペイント、特に子供が使用するような水性ペイント、小麦粉、タルコムのような粉末製品がある。
【背景技術】
【０００２】
アプリケータ容器は、「ラバーバルブ」とも称する。「ラバーバルブ」は、ノズルの形態で放出口を一体に具備したフレキシブルな壁を具備する容器である。容器は、剛性あるいはフレキシブルなチューブと組み合わせた放出口を有し、これらは従来から知られている。「ラバーバルブ」を形成する材料は、それを押した時に元の形状に戻るような弾性機能を有する。流体を容器に充填するには、容器をまず絞り込みながら放出口を流体の中に入れ、放出口を流体の中に入れたままにし、容器を最終的に解放する（押すのを止める）。これは、液体を放出口を通して、容器の中に吸引するために、容器の材料により加えられる弾性回復力を利用している。容器が流体で完全に又は部分的に充填されると、流体は、容器を絞り込むことにより、放出口から再び放出できる。これらの「ラバーバルブ」は、家庭、医療、あるいは産業上の分野で様々なアプリケーションで幅広く使用されている。
【０００３】
「ラバーバルブ」の欠点は、放出口から流体を吸引するために、容器の材料の弾性回復力に対し流体、特にペースト状の物質の粘度が高い時に、流体を充填することが困難となる点である。別の欠点は、それを使用した後に洗浄するのが困難な点である。容器は、比較的狭い投入口と放出口のみを有し、その結果、容器の内側の凹んだ部分は、洗浄手段によりアクセスすることが難しくなる。
【先行技術文献】
【特許文献】
【０００４】
【特許文献１】米国特許第４０７２２４９号明細書
【特許文献２】米国特許第４３９７８７９号明細書
【０００５】
特許文献１は、少量の流体あるいはペースト状の物質、例えば医薬品に適した使い捨ての容器を開示する。この容器は、周囲に沿って結合された２つの半円球容器で形成されている。一方の半円球容器は、フレキシブルな材料で形成されており、他方の半円球容器は、放出口を有する。２つの半円球容器の間の周囲には、一対のフランジがある。このフランジは、外側に突出し、２本指を支持する支持部材として機能する。親指がフレキシブルな半円球を押し（絞り）、流体を放出口から押し出す。この容器の欠点は、再充填可能ではなく、再使用もできない点である。
【０００６】
特許文献２は、ペーストのバックの形態でケーキを形成する方法を開示する。この容器は、閉鎖した状態で、乾燥混合物を有し、水と混ぜ合わせると、ケーキを形成するペースト状のバターとなる。このペースト状のバターを、容器の放出口から出す。この種の容器は、一端に平坦なベース、他端に放出口を具備したフレキシブルな円筒状の壁を有する。その放出口は、その中心に放出口を組み込んだスレッド付きのカバーで閉じられる。この放出口は、最初は、穴が空いておらずキャップで閉じられた状態である。使用方法は、最初に蓋を取り外し、乾燥物と水を容器内に注ぎ込み、次に蓋を閉じて容器を振って、水と乾燥物とを混合させる。その後キャップ取り外して、先端をハサミなどで切断して放出口を形成する。その後ペースト状の混合物が、容器のフレキシブルな壁を絞り込むことにより、放出口から放出される。内容物が使用されなくなると、放出口は前記キャップで再び閉じられる。
【発明の概要】
【発明が解決しようとする課題】
【０００７】
この容器の重大な欠点は、円筒壁の一端は平坦なベース壁に繋がっており、他端が上部壁に繋がっており、この上部壁にスレッド構造が形成され、そこに蓋が連結されているいる為に、容器を最後まで押すことができない。この為、内部の全ての流体を放出口から排出できない点である。特に粘性のある流体の場合は、これが著しい。さらに、この容器は、容器の内部に適切にアクセスできない為に、洗浄ができない。特に容器の中で目的のペースト状の流体を作る場合には、容器内の材料の状態を調べることができない。
【課題を解決するための手段】
【０００８】
本発明のアプリケータ容器は、中空本体と放出口と蓋とを有する。前記中空本体は、フレキシブルな材料製であり、その内部に流体が入る。前記放出口は、前記中空本体と一体に形成され、前記中空本体から外側に伸びる。前記中空本体を押すことにより、前記流体が前記放出口から放出される。前記中空本体は、前記放出口から離れた場所に投入口を有する。蓋は、投入口を閉じる。
【０００９】
この構成において、投入口から、蓋が外されると、それが、流体、ミルク状、ペースト状、粉末状のものであれ、更には又高い粘性を持つ流体であれ、それらを中空本体内攪拌しながら、注入できる。容器が完全にあるいは一部充填され、蓋が閉じられると、中空本体を絞り込み、その中に含まれている物質を押し出し、それを放出口を介して放出する。使用後は蓋を再び外して、中空本体の内部に投入口を介して容易にアクセスでき、かくして洗浄が容易に行える。
【００１０】
本発明の一実施例においては、本発明の容器は、キャップを更に有する。このキャップは、前記放出口に着脱可能に嵌められ、これにより、前記放出導管を形成するような気密構造を形成する。
選択的事項として、本発明のアプリケータ容器は、ノズル群を有する。このノズル群は、内側通路を具備し、前記放出口に着脱可能に嵌められ、これにより、前記放出口の放出導管と、前記ノズルの内側通路との間に、キャップが使用されてないときには連通状態を形成する。
【００１１】
蓋とキャップとノズルは、フレキシブルな材料製が好ましいが、プラスチックあるいは他の剛性材料で形成してもよい。一実施例においては、中空本体と蓋とキャップとノズルのフレキシブルな材料は、それらを絞った時に元の形状に復帰できる弾性機能を具備する材料である。例えばゴム、シリコン、プラチナ触媒のシリコンからなるグループから選択されたエラストマ材料である。これらは、他のアプリケーションに加えて、特に台所での使用に適したものである。他の実施例においては、中空本体は、ペーストリーバッグとして使用するために比較的大きなサイズであり、中空本体のみが、弾性材料例えばエラストマ材料で形成し、蓋とノズルは、剛性材料即ち例えばプラスチック材料で形成してもよい。
【００１２】
アプリケータ容器に良好な操作のために、即ち絞られた時に、中空本体が正しく弾性変形ができ、かつ同時に蓋の気密を保持しながら、かつ放出口を介した流通路を確保するために、中空本体は、周囲の薄肉ラインより連結された２つの対向部分を有し、放出口をこの周囲の薄肉ラインの整合して形成することである。投入口は、上記２つの対向する部分の一方に形成され、底部表面が他方に形成される。かくして、アプリケータ容器は、蓋を押し（完全な気密を確保しながら）、かつ２つの対向する部分の一方と、底部表面とを押す。かくして中空本体は、平坦となり、周囲の薄肉ラインの回りで変形し、中空本体の２つの対向する部分が、互いに近づいて容器内部の物質を押し出すことができる。
【図面の簡単な説明】
【００１３】
【図１】本発明の第１実施例によるアプリケータ容器を形成する中空本体と、蓋と、キャップと、ノズルの展開斜視図。
【図２】蓋を外し放出口を閉じるために嵌められたキャップを具備した中空本体の縦断面図。
【図３】蓋を配置し放出口に嵌められたノズルを具備する中空本体の縦断面図。
【図４】図３のアプリケータ容器を絞った状態の側面図。
【図５】アプリケータ容器を形成する中空本体と、その放出口に嵌る複数のノズルを表す斜視図。
【図６】図５のアプリケータ容器の側面図。
【図７】図５のアプリケータ容器の正面図。
【発明を実施するための形態】
【００１４】
図１において、第１実施例による本発明のフレキシブルなアプリケータ容器は、中空本体１を有する。この中空本体１は、流体を入れるように構成され、底から外側に伸びる一体に形成された放出口２と、前記放出口２から離れて形成された広い投入口３とを有する。前記アプリケータ容器は、蓋４を有する。この蓋４で前記投入口３を閉じる。中空本体１は、フレキシブルな材料例えば絞られた後元の形状に戻る弾性機能を具備したフレキシブルな材料（例えばエラストマ）から形成される。この材料は、好ましくはゴム製又はシリコン製で、より好ましくはプラチナを触媒としたシリコン製である。中空本体１は、蓋４の手段により閉じられる投入口３を押し込むことにより、流体を、放出口２の放出導管２ａから放出する。この実施例においては、蓋４は、フレキシブルな材料製で例えばゴム又はシリコンのようなエラストマ材料製であり、好ましくは中空本体１と同一の材料がよい。しかし、硬い材料例えばプラスチック製でもよい。
【００１５】
選択的事項として、アプリケータ容器は、キャップ１０を有する。キャップ１０は放出口２と着脱可能に結合され、前記放出導管２ａと気密構造を構成する（図２）。アプリケータ容器はノズル１１を有する。このノズル１１は、内側通路１１ａを有し、放出口２に着脱可能に結合されて、放出導管２ａとノズル１１の内側通路１１ａとの間に、キャップ１０が使用されない時には、流通路を確保する（図３）。本発明のアプリケータ容器は、複数個のノズル１１のセットを有し、これらは様々な形状と寸法をしており、様々なアプリケーション用に構成される。キャップ１０とノズル１１は、フレキシブルな材料例えばゴム又はシリコンのようなエラストマ製であるが、これらは剛性材料例えばプラスチック製でもよい。
【００１６】
第１実施例においては、放出口２は、外側周辺リブ２ｂを有する。この外側周辺リブ２ｂは、その自由端から所定の距離に形成される。キャップ１０とノズル１１は、それぞれ、内側周囲みぞ１０ａ，１１ｂを有する。これらは、放出口２とスナップヒットを構成する（キッチリと填る）スリーブ形状の部分で形成される。このスナップヒットは、前記の放出口２の外側周辺リブ２ｂが、内側周辺みぞ１０ａ又は１１ｂ内に導入され、キャップ１０又はノズル１１を、放出口２の上に保持するようになる。更に、中空本体１が、投入口３が蓋４で閉じられた状態で、絞り込まれると、流体の圧力は、放出口２を広げ、放出口２の外側周辺リブ２ｂと、キャップ１０又はノズル１１の内側周辺みぞ１０ａ，１１ｂの結合を強化する。
【００１７】
図２，３に示すように、中空本体１は、２つの対向する部分１ａ、１ｂからなる。これらの部分１ａ，１ｂは、薄肉の円周部分５により連結される。薄肉の円周部分５は、中空本体１の壁を薄くすることにより形成される。放出口２は、前記薄肉の円周部分５と整合して形成される。投入口３は、一方の対向部分１ａに形成される。選択的事項として、サポート表面上で安定した位置に、アプリケータ容器を保持するような底部表面６が、他方の対向部分１ｂに形成される。この実施例においては、放出口２の放出導管２ａと薄肉の円周部分５は、第１仮想面Ｐ１にあり、投入口３は第２仮想面Ｐ２にあり、底部表面６は第３仮想面Ｐ３にある。。図２の実施例では、この３個の仮想面Ｐ１，Ｐ２，Ｐ３は、互いに平行である。容器は平坦にされると、容器の内側のくぼみへのアクセスが容易となり、特に放出する流体の制御が容易となる。
【００１８】
このフレキシブルな容器が、モールドプロセスにより、２個の半分の部分とモールド用のコアにより生成されるとすると、投入口３は、幅が広くなり、モールドされた部分を、コアから引き抜くのが容易になる。特に中央領域（第１仮想面Ｐ１）の直径は、投入口３（第２仮想面Ｐ２）の直径の１，５倍以上ある。
【００１９】
薄肉の円周部分５の周囲長さは、投入口３のそれよりも長く、かつ底部表面６のそれよりも長い。それ故に、中空本体１の対向部分１ａ，１ｂは、傾斜した壁で形成される。この傾斜した壁は、薄肉の円周部分５から投入口３に伸び、薄肉の円周部分５から底部表面６に伸びる。この実施例においては、薄肉の円周部分５と投入口３と底部表面６は、同心のほぼ円形の周囲を有する。中空本体１が平坦にされると、投入口３から底部表面６までの長さは、薄肉の円周部分５の直径（これは中空本体１の最大外形である）よりも小さくなる。
【００２０】
更に、中空本体１の対向部分１ａ，１ｂの傾斜した壁は、薄肉の円周部分５から投入口３と底部表面６にかけて厚みが増す。その結果、投入口３が蓋４で閉じられると、それらは、蓋４と一体になって、レンズ豆の形状をした内側スペースを形成する。この内側スペースは、第１仮想面Ｐ１に対しほぼ上下対称である。中空本体１の内側スペースは、平滑な底部（あるいは研磨した最終仕上げを有する底部）を有し、流体が、放出口２の放出導管２ａの方向に流れるのを容易にし、かつ洗浄も容易にする。蓋４は、ほぼ平坦な形状をし把持タブ９を具備する。把持タブ９は、横方向に突出して、蓋４を開く時に、把持するためのものである。蓋の内側表面は、平滑あるいは研磨最終仕上げをして、内部の流体が、放出口２の放出導管２ａの方向に流れるのを容易にし、かつ洗浄も容易にする。
【００２１】
図３に示すように、開口周辺の閉鎖構造８は投入口３のエッジに形成され、蓋４は蓋周辺の閉鎖構造７を有する。閉鎖構造７は閉鎖構造８に対応する。力を掛けると、閉鎖構造７は、閉鎖構造８と着脱可能に結合され、投入口３が密封される。投入口３用の閉鎖構造８は、円錐台形表面８ｃを有する。この円錐台形表面表面８ｃは、開口内側周辺エッジ８ａと開口外側周辺エッジ８ｂの間に形成されている。前記蓋４の蓋周辺の閉鎖構造７は円錐形状部７ｃを有する。円錐形状部７ｃは円錐台形表面表面８ｃと接触する。円錐形状部７ｃは、内側蓋周辺突起部７ａと外側蓋周辺けんすい部７ｂの間に形成される。内側蓋周辺突起部７ａは開口内側周辺エッジ８ａとロックされ、外側蓋周辺けんすい部７ｂは開口外側周辺エッジ８ｂとロックされる。
【００２２】
それぞれの周囲の閉鎖構造は、弾性変形により結合され、蓋４が投入口３のエッジに押し当てられている時に回復する。中空本体１の対向部分１ａ，１ｂの傾斜壁の厚さの割合は、押されている間中空本体１の変形制御を容易にし、蓋４を投入口３に対し気密を保持するのを補助する。蓋４の蓋周辺の閉鎖構造７と投入口３も開口周辺の閉鎖構造８が、それぞれ円形であるとすると、蓋４は、あらゆる角度位置に把持タブ９を配置することができ、蓋４は、把持タブ９を引くことにより、容易に外すことができる。
【００２３】
図２は、蓋４がない状態の中空本体１を示す。この状態においては、投入口３は、開き、例えば流体を中空本体１の内側スペースに注ぐことができる。この作業は、中空本体１の底部表面６がサポート表面に配置され安定した時に、行われる。更にキャップ１０を配置して放出口２の放出導管２ａを閉じこともできる。これは、流体を入れるときに放出口２からこぼれるのを防止するためである。流体の粘性が高い場合には、キャップ１０を省くことができる。中空本体１に流体が入れられ、蓋４を配置して投入口３を閉じる。流体が入れられ蓋で閉じられた中空本体１は、アプリケータとして使用されるまで、完全に安全な状態で保管したり輸送することができる。
【００２４】
図３は、投入口３を閉じるために蓋４を配置し、放出口２に結合したノズル１１を具備した状態の中空本体１を示す。ノズル１１は、流体を入れたアプリケータ容器を、流体を放出するために、キャップ１０の代わりに配置される。アプリケータ容器が、一組のノズル１１を有する場合には、考えられるアプリケーションに最も適したノズルを選択することができる。放出口２が、所望のアプリケーションに適した構造を有する場合には、ノズル１１を省くことができる。
【００２５】
図４は、中空本体１の投入口３が蓋４により閉じられ、ノズル１１が放出口２に結合された状態のアプリケータ容器を示す。このアプリケータ容器を絞ることにより、流体を噴出させる。ユーザが、中空本体１の底部表面６を親指で、蓋４を人差し指で、或いは逆にして、中空本体１の対向部分１ａ，１ｂを互いに近づけるように動かす。これは、薄肉の円周部分５の回りに曲げることになる。中空本体１の内容積が減ると、流体が放出口２の放出導管２ａとノズル１１の内側通路１１ａを介して、強制的に流れ出る。この様な駆動により、いつでも蓋を正確に閉じることができる（即ち、蓋４と中空本体１の気密結合が正確に維持できる）。
【００２６】
更に放出口２が、薄肉の円周部分５と整合されて形成されていると、放出口２は、絞り込んだ間、変形したり方向が変わることがない。これにより、流体が正確かつ用心深く噴出させることができる。
【００２７】
図５，６，７は、本発明の第２実施例によるアプリケータ容器を示し、これは、図１−４の第１実施例と類似する。しかし以下の点で異なる。第２実施例のアプリケータ容器は、第１実施例のそれよりも大きく、中空本体１は、ペースト状バッグとして用いることができるよう、十分な量の流体を入れることができる。中空本体１の投入口３と蓋４は、中空本体１のそれに比例した大きさとなる。
【００２８】
更に、第２実施例のアプリケータ容器は、ノズル群１１．１−１１．６を有する。これらのノズル群は、放出口２に接続できるような様々な形状を有するが、放出口２を閉じるようなキャップを持たない。例えば、ノズル群１１．１−１１．３は、それぞれがサイズが大きくなるようなスムーズな放出口オリフィスを有するが、ノズル群１１．４−１１．６は、サイズが大きくなるようなギザギザの付いた出力オリフィスを有する。中空本体１の放出口２とノズル群１１．１−１１．６は、中空本体１のそれに比例したサイズを有する。
【００２９】
この第２実施例においては、中空本体１のみが、弾性材料例えばゴムとシリコンからなるグループから選択されたエラストマ材料から形成される。更に例えばプラチナ触媒を利用したシリコンから生成される。しかし、蓋４とノズル群１１．１−１１．６は、剛性材料例えばプラスチック材料から形成され、選択的事項として、それらは透明あるいは半透明である。
【００３０】
中空本体１の放出口２は、放出導管２ａと一対の突起部２ｃを有する。それらはその対向する面から突出している。ノズル群１１．１−１１．６のいずれかは、内側通路１１ａとその向かい合う側に一対のオリフィス１１ｃとを有する。ノズル群１１．１−１１．６のいずれか（例えば図６，７に示されるノズル１１，５）が、放出口２に連結されると放出口２の突起部２ｃは、ノズル群１１．１−１１．６の前記オリフィス１１ｃに挿入されて、結合を確実にする。ノズル群１１．１−１１．６の内側通路１１ａは、放出口２の放出導管２ａとの連通を確立する。
【００３１】
中空本体１は、薄肉の円周部分５と投入口３に向かい合ったその１つの側に底部表面６を有する。第１実施例と同様に、投入口３は薄肉の円周部分５に平行な仮想面にある。しかし第２実施例においては、底部表面６は投入口３と薄肉の円周部分５に対し傾斜した面にある。かくして、放出口２とその放出導管２ａは、底部表面６と整合する仮想面にある。これらは中空本体１が、図６，７に示すような水平面に配置されると傾斜した上方向を向く。
【００３２】
この第２実施例の蓋４は、把持タブ９を有する。この把持タブ９は、第１実施例のように側面に突出するのではなく、蓋４の残りの部分に対し若干隆起している（図６，７）。
【００３３】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００３４】
１  中空本体
１ａ，１ｂ  対向部分
２  放出口
２ａ  放出導管
２ｃ  突起部
３  入口
４  蓋
５  薄肉の円周部分
６  底部表面
７  閉鎖構造
７ａ  内側周辺突起部
７ｂ  外側周辺けんすい部
７ｃ  円錐形状部
８  閉鎖構造
８ａ  内側周辺エッジ
８ｂ  外側周辺エッジ
８ｃ  円錐台形表面
９  把持タブ
１０  キャップ
１０ａ  内側周辺みぞ
１１  ノズル
１１．１−１１．６  ノズル群
１１ａ  内側通路
１１ｂ  内側周辺みぞ
１１ｃ  オリフィス
Ｐ１  第１仮想面
Ｐ２  第２仮想面
Ｐ３  第３仮想面
【図１】
2011051657.tif 000003
【図２】
2011051657.tif 000004
【図３】
2011051657.tif 000005
【図４】
2011051657.tif 000006
【図５】
2011051657.tif 000007
【図６】
2011051657.tif 000008
【図７】
2011051657.tif 000009
【外国語明細書】
2011051657000001.pdf